(57)【要約】【課題】画像品質の低下を防止又は抑制と省電力化を達成しつつ、利便性を向上することができる画像形成装置を提供する。【解決手段】サブ制御部は、スリープモードへの移行を検出すると（♯１でＹＥＳ）、計時動作を開始し（♯２）、その後、通常モードへの移行を検出すると（♯３でＹＥＳ）、前記計時動作を終了して（♯４）、計時時間情報をメイン制御部に送信する（♯５）。メイン制御部は、コントローラによる電力供給の遮断解除により起動して前記情報をサブ制御部から受信すると（♯１１，♯１２でＹＥＳ）、該情報が示す計時時間が閾値以上か否かを判断し（♯１３）、前記閾値以上のときには（♯１３でＹＥＳ）、複合機１の各部にイニシャル動作を実行させ（♯１４）、前記閾値より小さいときには（♯１３でＮＯ）、♯１４の処理を実行しないで一連の処理を終了する。【選択図】図３
2009265374.tif 000002
【特許請求の範囲】
【請求項１】
記録媒体に画像を形成する画像形成部と、
前記画像形成部を含む当該画像形成装置の各部の動作を制御するメイン制御部と、
前記メイン制御部より回路規模が小さいサブ制御部と、
当該画像形成装置の各部に対して電力を供給する通常モードと、前記メイン制御部及び前記サブ制御部のうち前記メイン制御部のみを含む当該画像形成装置の各部に対する電力供給を遮断する省電力モードとを択一的に切り替えるモード切替部とを備え、
前記サブ制御部は、
前記モード切替部によるモードの切替えを検出する検出部と、
前記モード切替部により前記省電力モードに設定されている時間を計測する計時部と
を有し、
前記メイン制御部は、
前記計時部の計測時間が予め定められた閾値以上である場合には、前記モード切替部により前記省電力モードから通常モードに切り替えられたときに当該画像形成装置の各部に前記画像形成部による画像形成動作を調整するイニシャル動作を実行させ、前記計測時間が前記閾値より小さい場合には、前記モード切替部により前記省電力モードから通常モードに切り替えられても前記各部に前記イニシャル動作を実行させないイニシャル動作指示部
を有する画像形成装置。
【請求項２】
前記イニシャル動作は、予め生成された濃度パッチパターンのデータに基づき、前記濃度パッチパターンを像担持体に形成し、前記像担持体に形成された濃度パッチパターンの濃度を測定し、該測定濃度が目標値となるように前記画像形成部による画像形成動作を調整する画像濃度調整動作を含む請求項１に記載の画像形成装置。
【発明の詳細な説明】
【技術分野】
【０００１】
本発明は、記録媒体に画像を形成する画像形成装置の技術分野に属するものである。
【背景技術】
【０００２】
複写機やファクシミリ等の画像形成装置における省電力化の技術として、当該画像形成装置の各部に対して電力を供給する通常モードの他に、前記各部のうち一部に対してのみ電力を供給する所謂スリープモード（省電力モード）を設け、画像形成装置に対する操作が所定時間何もなされなかった場合や、前記スリープモードに切り替える指示が画像形成装置に入力された場合に、画像形成装置のモードを前記通常モードからスリープモードに切り替える技術が広く採用されている。
【０００３】
また、例えば下記特許文献１には、更なる省電力化を目的として、装置各部を制御するメイン制御部とは別に、該メイン制御部より低速のＣＰＵと小容量のメモリとを備えるサブ制御部を搭載し、省電力モードでは、前記メイン制御部を停止して、サブ制御部のみを動作させる技術が提案されている。
【特許文献１】特開平０８−１０１６０９号公報
【発明の開示】
【発明が解決しようとする課題】
【０００４】
ところで、この種の画像形成装置にあっては、該スリープモードの設定中や画像形成装置の主電源がオフにされている期間に画像形成装置の環境が変化し、この環境変化に起因して、画像形成装置の各部の状態が変化する可能性がある。このような変化が発生すると、記録紙に形成する画像の濃度が変化したり、カラー印刷の場合に色合いが変化したりする。
【０００５】
そこで、一般的に、スリープモードから通常モードに移行したときや、画像形成装置の主電源がオンされたときに、画像形成装置の各部の動作確認を行って、正常でない場合には適切な画像が形成されるように各部の調整を行う所謂イニシャル動作を実施する。
【０００６】
ここで、前述したように、イニシャル動作はスリープモードの設定中に画像形成装置の環境が変化する可能性を考慮して実施するものであることを考えると、スリープモードに設定されている時間が比較的短いときには、イニシャル動作の必要性は低い。
【０００７】
ところが、従来では、スリープモードの時間の長短に拘わらず、スリープモードから通常モードに復帰したときに必ずイニシャル動作を実施していた。このイニシャル動作は比較的長い時間を要するものであるため、該イニシャル動作を実施している期間はユーザを待機させることとなる。
【０００８】
このように、スリープモードから通常モードに復帰する都度、イニシャル動作を実施してユーザに待機させていたため、特に、前記モードの切り替えを比較的頻繁に行うような使用状況の場合に、ユーザに不便さを感じさせることとなっていた。
【０００９】
本発明は、上述した問題点を解決するためになされたものであり、省電力化を達成しつつ、利便性を向上することができる画像形成装置を提供することを目的とする。
【課題を解決するための手段】
【００１０】
請求項１に記載の発明は、記録媒体に画像を形成する画像形成部と、前記画像形成部を含む当該画像形成装置の各部の動作を制御するメイン制御部と、前記メイン制御部より回路規模が小さいサブ制御部と、前記各部に対して電力を供給する通常モードと、前記メイン制御部及び前記サブ制御部のうち前記メイン制御部のみを含む当該画像形成装置の各部に対する電力供給を遮断する省電力モードとを択一的に切り替えるモード切替部とを備え、前記サブ制御部は、前記モード切替部によるモードの切替えを検出する検出部と、前記モード切替部により前記省電力モードに設定されている時間を計測する計時部とを有し、前記メイン制御部は、前記計時部の計測時間が予め定められた閾値以上である場合には、前記モード切替部により前記省電力モードから通常モードに切り替えられたときに当該画像形成装置の各部に前記画像形成部による画像形成動作を調整するイニシャル動作を実行させ、前記計測時間が前記閾値より小さい場合には、前記モード切替部により前記省電力モードから通常モードに切り替えられても前記各部に前記イニシャル動作を実行させないイニシャル動作指示部を有する画像形成装置である。
【００１１】
この発明によれば、前記各部に対して電力を供給する通常モードの他に、前記メイン制御部及び前記サブ制御部のうち前記メイン制御部のみを含む当該画像形成装置の各部に対する電力供給を遮断する省電力モードを備えたので、画像形成装置の省電力化を図ることができる。
【００１２】
さらに、前記計時部の計測時間が予め定められた閾値以上である場合には、前記モード切替部により前記省電力モードから通常モードに切り替えられたときに当該画像形成装置の各部に前記画像形成部による画像形成動作を調整するイニシャル動作を実行させる一方、前記計測時間が前記閾値より小さい場合には、前記モード切替部により前記省電力モードから通常モードに切り替えられても前記各部にイニシャル動作を実行させないようにしたので、時間の経過に伴う環境変化の影響を受けて画像品質が低下する虞があるときは、イニシャル動作を実施して画像品質の低下を低減しつつ、省電力モードの時間の長短に拘わらず省電力モードから通常モードに復帰したときにイニシャル動作を必ず実施する従来技術に比して、イニシャル動作を実施する機会（イニシャル動作の実施頻度）を低減することができる。
【００１３】
前記閾値としては、例えば画像形成装置の画像形成条件に影響を及ぼすような気温や湿度等の周囲環境の変化が生じる虞が少ないと考えられる時間が設定される。
【００１４】
請求項２に記載の発明は、請求項１に記載の画像形成装置において、前記イニシャル動作は、予め生成された濃度パッチパターンのデータに基づき、前記濃度パッチパターンを像担持体に形成し、前記像担持体に形成された濃度パッチパターンの濃度を測定し、該測定濃度が目標値となるように前記画像形成部による画像形成動作を調整する画像濃度調整動作を含むものである。
【００１５】
この発明によれば、イニシャル動作の中でも特に前記画像濃度調整動作に多大な時間を要するから、前記イニシャル動作が前記画像濃度調整動作を含む場合に、請求項１に記載の発明が特に有効なものとなる。
【発明の効果】
【００１６】
本発明によれば、前記サブ制御部及び省電力モードを備えたことにより省電力化を達成することができるとともに、画像品質の低下を防止又は抑制しつつ、前記イニシャル動作の実施によってユーザを待機させる状況が発生するのをできるだけ回避することができ、利便性をより一層向上した画像形成装置を実現することができる。
【発明を実施するための最良の形態】
【００１７】
以下、本発明に係る画像形成装置の一実施形態である複合機を図面に基づいて説明する。図１は、複合機の内部構成を示す側面図である。複合機１は、コピー機能、プリンタ機能、スキャナ機能及びファクシミリ機能等の機能を兼ね備えたものであり、本体部２と、本体部２の左方に配設されたスタックトレイ３と、本体部２の上部に配設された原稿読取部４と、原稿読取部４の上方に配設された原稿給送部５とを有している。
【００１８】
また、複合機１のフロント部には、操作部６が設けられている。この操作部６には、ユーザが印刷実行指示を入力するためのスタートキー７と、印刷部数等を入力するためのテンキー８と、各種複写動作の操作ガイド情報等を表示し、これら各種設定入力用にタッチパネル機能を有する液晶ディスプレイ等からなる表示部９と、表示部９で設定された設定内容等をリセットするリセットキー１０と、実行中の印刷（画像形成）動作を停止させるためのストップキー１１と、コピー機能、プリンタ機能、スキャナ機能及びファクシミリ機能を切り換えるための機能切換キー１２が備えられている。
【００１９】
原稿読取部４は、ＣＣＤ(Charge Coupled Device)センサ及び露光ランプ等からなるスキャナ部１３と、ガラス等の透明部材により構成された原稿台１４及び原稿読取スリット１５とを備える。スキャナ部１３は、図略の駆動部によって移動可能に構成され、原稿台１４に載置された原稿を読み取るときは、原稿台１４に対向する位置で原稿面に沿って移動され、原稿画像を走査しつつ取得した画像データをメイン制御部３５（図２）へ出力する。また、原稿給送部５により給送された原稿を読み取るときは、原稿読取スリット１５と対向する位置に移動され、原稿読取スリット１５を介して原稿給送部５による原稿の搬送動作と同期して原稿の画像を取得し、その画像データをメイン制御部３５へ出力する。
【００２０】
原稿給送部５は、原稿を載置するための原稿載置部１６と、画像読み取り済みの原稿を排出するための原稿排出部１７と、原稿載置部１６に載置された原稿を１枚ずつ繰り出して原稿読取スリット１５に対向する位置へ搬送し、原稿排出部１７へ排出するための給紙ローラや搬送ローラ（図示せず）等からなる原稿搬送機構１８を備える。原稿搬送機構１８は、さらに原稿を表裏反転させて原稿読取スリット１５と対向する位置へ再搬送する用紙反転機構（図示せず）を備え、原稿の両面の画像を、原稿読取スリット１５を介してスキャナ部１３から読取可能にしている。
【００２１】
また、原稿給送部５は、その前面側が上方に移動可能となるように本体部２に対して回動自在に設けられている。原稿給送部５の前面側を上方に移動させて原稿台１４の上面を開放することにより、原稿台１４の上面に読み取り原稿、例えば見開き状態にされた書籍等を操作者が載置できるようになっている。
【００２２】
本体部２は、複数の給紙カセット１９と、給紙カセット１９から記録紙を１枚ずつ繰り出して画像形成部２１へ搬送する給紙ローラ２０と、給紙カセット１９から搬送されてきた記録紙に画像を形成する画像形成部２１とを備える。
【００２３】
画像形成部２１は、スキャナ部１３で取得された画像データに基づきレーザ光等を出力して感光体ドラム２２を露光する光学ユニット２３と、感光体ドラム２２上にトナー像を形成する現像部２４と、感光体ドラム２２上のトナー像を記録紙に転写する転写部２５と、トナー像が転写された記録紙を加熱してトナー像を記録紙に定着させる一対のローラ２６，２７からなる定着装置２８と、画像形成部２１内の用紙搬送路中に設けられ、記録紙をスタックトレイ３又は排出トレイ２９まで搬送する搬送ローラ対３０，３１等とを備える。
【００２４】
また、記録紙の両面に画像を形成する場合は、画像形成部２１で記録紙の一方の面に画像を形成した後、この記録紙を排出トレイ２９側の搬送ローラ対３０にニップされた状態とする。この状態で搬送ローラ対３０を反転させて記録紙をスイッチバックさせ、記録紙を用紙搬送路３２に送って画像形成部２１の上流域に再度搬送し、画像形成部２１により他方の面に画像を形成した後、記録紙をスタックトレイ３又は排出トレイ２９に排出する。
【００２５】
次に、複合機１の電気的な構成について説明する。図２は、複合機１の電気的な構成を示すブロック図である。図２に示すように、複合機１は、原稿読取部４、画像形成部２１、記憶部３３、メイン制御部３５、コントローラ３６、サブ制御部３７、操作部６を備えて構成されている。
【００２６】
前記原稿読取部４、記憶部３３、メイン制御部３５、操作部６及びコントローラ３６によって、取り込んだ画像データを予め指定されたＩＰアドレスへ送信するネットワークスキャナ機能が実現される。また、前記原稿読取部４、画像形成部２１、記憶部３３、メイン制御部３５、操作部６及びコントローラ３６によって、ファクシミリ機能が実現される。さらに、前記画像形成部２１、メイン制御部３５、操作部６、コントローラ３６及び図略のパラレルＩ／Ｆ部によって、プリンタ機能が実現される。また、前記原稿読取部４、画像形成部２１、メイン制御部３５及び操作部６によって、コピー機能が実現される。
【００２７】
操作部６は、図１に示す操作部６に相当するものであり、使用者がコピー機能、プリンタ機能、ファクシミリ機能及びスキャナ機能等に関する操作を行うために使用され、使用者による操作命令（コマンド）等をメイン制御部３５に与えるものである。操作部６は、タッチパネル等を有する表示部９（図１参照）や、前述のスタートキー７やテンキー８（図１参照）等を含む操作キー部を含む。操作キー部は、使用者によるコピー実行開始指令、あるいはファクシミリ送信開始指令といった種々の指示入力を行うために用いられる。
【００２８】
原稿読取部４は、図１に示す原稿読取部４に相当するものであり、原稿の画像を光学的に取得して画像データを生成するものである。
【００２９】
画像形成部２１は、前述の画像形成部２１に相当するものであり、原稿読取部４によって読み取られた原稿の画像データ、コントローラ３６を介して外部のパーソナルコンピュータ等から受信した画像データ、及びコントローラ３６を介して外部のファクシミリ装置から受信したファックスデータ等の画像データに対する画像を所定の記録紙に印刷（形成）するものである。
【００３０】
記憶部３３は、原稿読取部４の読取動作により得られた画像データやネットワークを介して送信されてきた画像データ、後述するメイン制御部３５により処理された画像データ、ファクシミリ通信を行う時の短縮釦登録の相手先名称やファクシミリ番号、ネットワークスキャナとして使用される際の送信相手先のＩＰアドレス等を記憶するものである。
【００３１】
メイン制御部３５及びサブ制御部３７は、それぞれ、図略のＣＰＵ（Central Processing Unit：中央演算処理部）に、そのＣＰＵの動作を規定するプログラムを格納するＲＯＭ（Read Only Memory）やデータを一時的に保管する機能や作業領域としての機能を有するＲＡＭ（Random Access Memory）、並びに一時的にデータを保管するＲＡＭ等の記憶部などの周辺装置を有して構成されている。
【００３２】
そして、メイン制御部３５は、操作部６等で受け付けられた指示情報や、複合機１の各所に設けられているセンサからの検出信号に応じて、該複合機１全体の制御を行う。また、サブ制御部３７は、メイン制御部３５に比して回路規模が小さく、メイン制御部３５との間で通信可能に構成されている。サブ制御部３７は、主に、後述するスリープモードに設定されているときにも必要な処理を実行するものである。
【００３３】
コントローラ３６は、当該画像形成装置１と外部機器との間のインターフェースとして機能するとともに、原稿読取部４、画像形成部２１、メイン制御部３５、サブ制御部３７及び操作部６等の当該画像形成装置１の各部への電力供給のオンオフを切り替える機能を有する。コントローラ３６は、後述するように前記モード切替部としての機能を有する。
【００３４】
次に、本実施形態の特徴部分について説明する。
【００３５】
本実施形態の複合機１は、外部機器から当該複合機１に画像データが入力されたり、操作部６により画像形成指示などが行われたりすると速やかに動作が実行可能なスタンバイ状態となるように、当該複合機１の各部に予め定められた電力が供給される通常モードの他に、スリープモードが設けられている。スリープモードは、例えば操作部６に設けられているスリープモード設定ボタン６１（図２参照）が操作された場合や、当該複合機１に対して所定時間何も操作されなかった場合等に通常モードから切り替えられるモードであり、前記通常モードのときに比して電力が供給される対象の数が少なく、当該複合機１の各部のうち一部に対してのみ電力が供給されるモードである。スリープモードでは、サブ制御部３７及び操作部６への電力供給は継続され、メイン制御部３５や画像形成部２１への電力供給は遮断される。
【００３６】
そして、本実施形態では、このスリープモードに設定されている時間に応じて、該スリープモードから通常モードに移行したときのイニシャル動作（当該複合機１の各部の動作確認を行って、正常でない場合には適切な画像が形成されるように、画像形成部２１を含む各部の調整を行う動作）の実行の要否を判断するようにしている。
【００３７】
このような機能を達成するべく、コントローラ２６は、モード切替部３６１を機能的に有し、サブ制御部３７は、検出部３７１と、計時部３７２と、計時時間情報送信部３７３とを機能的に有し、メイン制御部３５は、計時時間情報受信部３５１と、判断部３５２と、イニシャル動作指示部３５３とを機能的に有する。
【００３８】
モード切替部３６１は、当該複合機１のモードを前記通常モードとスリープモードとの間で切り替えるものである。すなわち、モード切替部３６１は、操作部６に備えられた図略のスリープモード設定ボタン６１が操作されたときや、複合機１に対して所定時間何も操作がなされなかったとき、或いは、例えばパーソナルコンピュータやファクシミリ装置等の外部機器から画像データが送信されてこなかったときに、当該複合機１のモードを通常モードからスリープモードに切り替える一方、スリープモードの設定中に原稿給送部５の回動操作や操作部６に対して何らかの操作が行われたり、例えばパーソナルコンピュータやファクシミリ装置等の外部機器から画像データが送信されてきたりすると、当該複合機１のモードをスリープモードから通常モードに切り替える。
【００３９】
検出部３７１は、メイン制御部３５に供給されている電源電圧が印加される電力端子の電圧を所定の周期で監視することにより複合機１の現在のモードを検出するものである。すなわち、検出部３７１は、前記電力端子の電圧が予め定められた閾値より大きいときには、メイン制御部３５に電力供給が行われており、当該複合機１のモードが通常モードに設定されているものと検出する一方、前記電力端子の電圧が予め定められた閾値以下のときには、メイン制御部３５に電力供給が遮断されており、当該複合機１のモードがスリープモードに設定されているものと検出する。
【００４０】
計時部３７２は、前記検出部３７１により当該複合機１のモードがスリープモードに設定されているものと検出されている時間の計測動作を行うものであり、当該複合機１のモードがスリープモードに移行すると計時動作を開始し、当該複合機１のモードが通常モードに移行すると前記計時動作を終了する。
【００４１】
計時時間情報送信部３７３は、前記検出部３７１により当該複合機１のモードが通常モードに切り替わったことが検出されると、計時部３７２により計測された時間情報（以下、計時時間情報という）をメイン制御部３５に送信するものである。
【００４２】
計時時間情報受信部３５１は、前記モード切替部３６１により前記スリープモードから通常モードに切り替えられたときに、サブ制御部３７（計時時間情報送信部３７３）から送信される前記計時時間情報を受信するものである。
【００４３】
判断部３５２は、前記計時時間情報受信部３５１により受信された計時時間情報に基づき、スリープモードに設定されていた時間が予め定められた閾値より短いか否かを判断するものである。前記閾値としては、例えば複合機１の画像形成条件に影響を及ぼすような気温や湿度等の周囲環境の変化が生じる虞が少ないと考えられる時間、例えば１時間程度の時間が設定される。
【００４４】
イニシャル動作指示部３５３は、スリープモードに設定されていた時間が前記閾値以上のときには、当該複合機１に備えられる各部に、画像形成動作を実行するためのイニシャル動作を実行させ、前記計時部３７２により計測された時間が前記閾値より小さいときには、前記各部にイニシャル動作を実行させないものである。
【００４５】
前記イニシャル動作の一つとして、一様の濃度を有する矩形状の濃度補正用パッチパターンを像担持体（例えば前記感光体ドラム２２）上に形成して、該濃度補正用パッチパターンの濃度を図略の濃度センサにより測定し、この測定濃度値が最適値となるように、光学ユニット２３から出力されるレーザ光の強弱調整や現像部２４により印加される現像バイアス電圧の調整を行う濃度調整動作がある。
【００４６】
図３は、前記モード切替に伴ってメイン制御部３５とサブ制御部３７とで行われる処理を示すフローチャートである。
【００４７】
図３に示すように、サブ制御部３７は、コントローラ３６により当該複合機１のモードが通常モードからスリープモードに切り替えられたことを、メイン制御部３５における前記電力端子の電圧変化により検出すると（ステップ♯１でＹＥＳ）、計時動作を開始する（ステップ♯２）。
【００４８】
次に、サブ制御部３７は、コントローラ３６により当該複合機１のモードがスリープモードから通常モードに切り替えられたことを、メイン制御部３５における前記電力端子の電圧変化により検出すると（ステップ♯３でＹＥＳ）、前記計時動作を終了し（ステップ♯４）、該計時動作で得られた計時時間の情報（計時時間情報）をメイン制御部３５に送信する（ステップ♯５）。
【００４９】
一方、メイン制御部３５は、コントローラ３６により電力供給の遮断が解除されることにより起動すると（ステップ♯１１でＹＥＳ）、前記計時時間情報をサブ制御部３７から受信するまで待機する（ステップ♯１２でＮＯ）。そして、メイン制御部３５は、前記計時時間情報をサブ制御部３７から受信すると（ステップ♯１２でＹＥＳ）、該計時時間情報が示す計時時間（スリープモードに設定されていた時間）が予め定められた閾値以上であるか否かを判断する（ステップ♯１３）。
【００５０】
メイン制御部３５は、前記計時時間が前記閾値以上であるときには（ステップ♯１３でＹＥＳ）、当該複合機１に備えられる各部に、画像形成動作を実行するためのイニシャル動作を実行させる一方（ステップ♯１４）、前記計時時間が前記閾値より小さいときには（ステップ♯１３でＮＯ）、ステップ♯１４のイニシャル動作指示処理を実行しないで一連の処理を終了する。
【００５１】
以上のように、本実施形態では、前記サブ制御部３７と前記スリープモードとを備えたので、画像形成装置の省電力化を図ることができる。
【００５２】
さらに、本実施形態では、スリープモードに設定されている時間を計測し、該計測時間が前記閾値以上の場合のみイニシャル動作を実施し、前記計測時間が前記閾値より短い場合には前記イニシャル動作を実施しないようにしたので、時間の経過に伴う環境変化の影響を受けて画像品質が低下する虞があるときは、イニシャル動作を実施して画像品質の低下を低減しつつ、従来のように、スリープモードから通常モードに移行すると必ずイニシャル動作を実施する構成に比して、イニシャル動作の実施頻度を抑制することができる。よって、前記イニシャル動作の実施によりユーザを待機させる状況が発生するのをできるだけ回避することができ、前記モードの切り替えを比較的頻繁に行うような使用状況の場合に、ユーザに不便さを感じさせるのを防止又は抑制することができる。
【００５３】
なお、本件は、前記実施形態に代えて、又は前記実施形態に加えて次のような変形形態も採用可能である。
【００５４】
［１］前記イニシャル動作の他の例として、例えば、複数色の現像剤でカラーの画像が形成可能な画像形成装置にあっては、色ごとに前記濃度調整動作を行って、各色の現像剤でそれぞれ形成される各画像同士の濃度関係の調整を行う色味調整動作や、各色の現像剤による各画像形成位置の位置ずれに起因する色ずれの有無を検出し、色ずれが発生している場合には、前記各画像形成位置の位置合わせを行うレジスト補正動作などがある。
【００５５】
［２］前記実施形態では、サブ制御部３７は、メイン制御部３５の電力端子の電圧変化によりモードの切替を検出するようにしたが、この形態に限らず、通常モードからスリープモードに移行するときに、メイン制御部３５からサブ制御部３７にその旨の通知が行われるようにしてもよい。また、これとは別に、モード切替部３６１のモード信号を監視することでモードを検出するようにしてもよい。
【００５６】
［３］前記実施形態では、スリープモードに設定されていた時間が予め定められた時間より短いか否かの判断をメイン制御部３５で行うようにしたが、サブ制御部３７で行うようにしてもよい。この場合、サブ制御部３７は、その判断結果を示す情報をメイン制御部３５に送信し、メイン制御部３５は、その情報にしたがってイニシャル動作の要否を判断する。
【図面の簡単な説明】
【００５７】
【図１】複合機の内部構成を示す側面図である。
【図２】複合機の電気的な構成を示すブロック図である。
【図３】前記モード切替に伴ってメイン制御部とサブ制御部とで行われる処理を示すフローチャートである。
【符号の説明】
【００５８】
１    複合機
４    原稿読取部
２１  画像形成部
３５  メイン制御部
３５１  計時時間情報受信部
３５２  判断部
３５３  イニシャル動作指示部
３６    コントローラ
３６１  モード切替部
３７    サブ制御部
３７１  検出部
３７２  計時部
３７３  計時時間情報送信部
６    操作部
【図１】
2009265374.tif 000003
【図２】
2009265374.tif 000004
【図３】
2009265374.tif 000005